(57)【要約】【課題】受信装置の電力消費を低減する。【解決手段】本発明の受信装置８は、受信信号合成部１１の前段に接続され、第１受信部９と第２受信部１０の少なくとも一方から出力された信号の受信品質を判定すると共に、第１受信品質判定部１３と判定方法の異なる第２受信品質判定部１４を更に有し、制御部１５は、たとえ第１受信品質判定部１３における判定結果が所定レベルより劣悪であったとしても、第２受信品質判定部１４における判定の結果が所定レベル未満であった場合は、シングル受信モードとなるように制御する構成である。これにより、受信装置８が放送信号の受信できない場所を通過する場合、第２受信品質判定部１４における判定結果が所定レベル未満になり、その結果、制御部１５は、受信装置８がより消費電力の小さいシングル受信モードになる様に制御する。【選択図】図１
2008172670.tif 000002
【特許請求の範囲】
【請求項１】
信号を受信する第１受信部及び第２受信部と、
前記第１受信部から出力された信号と前記第２受信部から出力された信号を合成する受信信号合成部と、
この受信信号合成部から出力された信号の受信品質を判定する第１受信品質判定部と、
前記受信信号合成部の前段に接続され、前記第１受信部と前記第２受信部の少なくとも一方から出力された信号の受信品質を判定すると共に、前記第１受信品質判定部と判定方法の異なる第２受信品質判定部と、
前記第１受信品質判定部における判定結果に基づいて、前記第１受信部と前記第２受信部のうちいずれか一方を用いて信号を受信するシングル受信モードと、前記第１受信部と前記第２受信部の両方を用いて信号を受信するダイバシティ受信モードとを切り替え制御する制御部とを備え、
この制御部は、前記第１受信品質判定部における判定結果に関わらず、前記第２受信品質判定部における判定の結果が所定レベル未満であった場合は、前記第１受信部又は前記第２受信部を前記シングル受信モードとなるように制御する構成とした受信装置。
【請求項２】
第１受信感度で信号を受信する第１受信モードと前記第１受信感度より高い第２受信感度で信号を受信する第２受信モードとを有する受信部と、
この受信部から出力された信号の受信品質を判定する第１受信品質判定部と、
前記受信部と前記第１受信品質判定部との間に接続され、前記受信部から出力された信号の受信品質を判定すると共に、前記第１受信品質判定部と判定方法の異なる第２受信品質判定部と、
前記第１受信品質判定部における判定結果に基づいて、前記受信部を前記第１受信モードと前記第２受信モードとを切り替え制御する制御部とを備え、
この制御部は、前記第１受信品質判定部における判定結果に関わらず、前記第２受信品質判定部における判定の結果が所定レベル未満であった場合は、前記受信部を前記第１受信モードとなるように制御する構成とした受信装置。
【請求項３】
前記第１受信品質判定部は、受信信号の誤り率に基づいて受信品質を判定する請求項１又は請求項２に記載の受信装置。
【請求項４】
前記第２受信品質判定部は、同期信号を検出した場合は所定レベル以上の値を出力し、同期信号を検出しない場合は所定レベル未満の値を出力する請求項１又は請求項２に記載の受信装置。
【請求項５】
前記同期信号は、フレーム同期信号、ＴＭＣＣ同期信号、ＡＦＣ同期信号のうち少なくとも１つである請求項４に記載の受信装置。
【請求項６】
前記第２受信品質判定部は、信号のＣＮ比またはＡＧＣレベルに基づいて受信品質を判定する請求項１又は請求項２に記載の受信装置。
【請求項７】
前記第２受信品質判定部における受信品質判定のための所定レベルを、受信信号の変調方式を検出し、この変調方式に応じた値に変更する請求項６に記載の受信装置。
【請求項８】
前記制御部は、前記第２受信品質判定部における判定の結果が所定レベル未満であった場合は、前記受信信号合成部、又は前記第１受信品質判定部を電源オフ、または低消費電力状態とする請求項１に記載の受信装置。
【請求項９】
信号を受信する第１受信部及び第２受信部と、
前記第１受信部から出力された信号と前記第２受信部から出力された信号を合成する受信信号合成部と、
この受信信号合成部から出力された信号の受信品質を判定する第１受信品質判定部と、
前記第１受信品質判定部における判定結果に基づいて、前記第１受信部と前記第２受信部のうちいずれか一方を用いて信号を受信するシングル受信モードと、前記第１受信部と前記第２受信部の両方を用いて信号を受信するダイバシティ受信モードとを切り替え制御する制御部とを備え、
この制御部は、前記第１受信品質判定部における判定結果に関わらず、前記第１受信部及び前記第２受信部を前記ダイバシティ受信モードに設定してから所定時間経過した場合は、前記第１受信部又は前記第２受信部を前記シングル受信モードとなるように制御する構成とした受信装置。
【請求項１０】
前記制御部は、前記受信装置が前記シングル受信モードとなるように制御してから、前記所定時間よりも長い任意の時間経過後に前記受信装置が前記ダイバシティ受信モードとなるように制御する構成とした請求項９に記載の受信装置。
【請求項１１】
第１受信感度で信号を受信する第１受信モードと前記第１受信感度より高い第２受信感度で信号を受信する第２受信モードとを有する受信部と、
この受信部から出力された信号の受信品質を判定する第１受信品質判定部と、
前記第１受信品質判定部における判定結果に基づいて、前記受信部を前記第１受信モードと前記第２受信モードとを切り替え制御する制御部とを備え、
この制御部は、前記第１受信品質判定部における判定結果に関わらず、前記受信部を前記第２受信モードに設定してから所定時間経過した場合は、前記受信部を前記第１受信モードとなるように制御する構成とした受信装置。
【請求項１２】
前記制御部は、前記受信装置が前記第１受信モードとなるように制御してから、前記所定時間よりも長い任意の時間経過後に前記受信装置が前記第２受信モードとなるように制御する構成とした請求項１１に記載の受信装置。
【請求項１３】
請求項１から請求項８のいずれか１つに記載の受信装置の出力側に接続されたデコード部と、このデコード部の出力側に接続された表示部とを有する電子機器。
【請求項１４】
前記制御部は、前記第２受信品質判定部における判定の結果が所定レベル未満であった場合は、前記デコード部、又は前記表示部の電源をオフ、又は低消費電力状態にする構成とした請求項１３に記載の電子機器。
【請求項１５】
請求項９から請求項１２のいずれか１つに記載の受信装置の出力側に接続されたデコード部と、このデコード部の出力側に接続された表示部とを有する電子機器。
【請求項１６】
前記制御部は、前記第１受信部及び前記第２受信部を前記ダイバシティ受信モードに設定してから所定時間経過した場合は、前記デコード部、又は前記表示部の電源をオフ、又は低消費電力状態にする構成とした請求項１５に記載の電子機器。
【請求項１７】
前記制御部は、前記受信部を前記第２受信モードに設定してから所定時間経過した場合は、前記デコード部、又は前記表示部の電源をオフ、又は低消費電力状態にする構成とした請求項１６に記載の電子機器。
【発明の詳細な説明】
【技術分野】
【０００１】
本発明は、信号を受信する受信装置と、これを用いた電子機器に関するものである。
【背景技術】
【０００２】
以下、従来の受信装置について図５を用いて説明する。図５において、従来の受信装置１は、例えば、携帯端末に搭載されたテレビチューナであり、信号を受信する第１受信部２と第２受信部３と、第１受信部２から出力された信号と第２受信部３から出力された信号を合成する受信信号合成部４と、この受信信号合成部４から出力された信号を誤り訂正する誤り訂正部５とを備える。
【０００３】
さらに、従来の受信装置１は、誤り訂正部５からのＢＥＲ（Ｂｉｔ Ｅｒｒｏｒ Ｒａｔｅ）に基づいて受信品質を判定する受信品質判定部６と、この受信品質判定部６における判定結果が所定レベルより良好になった場合、第１受信部２と第２受信部３のうちいずれか一方を用いて信号を受信するシングル受信モードとなり、受信品質判定部６における判定結果が所定レベルより劣悪になった場合、第１受信部２と第２受信部３の両方を用いて信号を受信するダイバシティ受信モードとなるように制御する制御部７とを備える。
【０００４】
尚、この出願の発明に関連する先行技術文献情報としては、例えば、特許文献１が知られている。
【特許文献１】特開２００６−３１１２５８号公報
【発明の開示】
【発明が解決しようとする課題】
【０００５】
上記従来の受信装置１が放送信号の存在しない、あるいは放送信号がダイバシティ受信モードの感度以下の場所を通過する場合、受信品質判定部６における判定結果が所定レベルより劣悪になり、その結果、制御部７は、第１受信部２と第２受信部３が電力消費の大きいダイバシティ受信モードとなる様に制御する。即ち、放送信号を受信できない場所であるにも関わらず、受信装置１の電力消費が大きくなるという問題があった。
【０００６】
そこで本発明は、受信装置の電力消費を低減することを目的とする。
【課題を解決するための手段】
【０００７】
上記目的を達成する為に、本発明の受信装置は、受信信号合成部の前段に接続され、第１受信部と第２受信部の少なくとも一方から出力された信号の受信品質を判定すると共に、第１受信品質判定部と判定方法の異なる第２受信品質判定部を更に有し、制御部は、たとえ第１受信品質判定部における判定結果が所定レベルより劣悪であったとしても、第２受信品質判定部における判定の結果が所定レベル未満であった場合は、シングル受信モードとなるように制御する構成である。
【発明の効果】
【０００８】
上記構成により、受信装置が放送信号の受信できない場所を通過する場合、第２受信品質判定部における判定結果が所定レベル未満になり、その結果、制御部は、受信装置がより消費電力の小さいシングル受信モードになる様に制御する。即ち、放送信号の受信できない場所において、受信装置の電力消費を低減することができる。
【発明を実施するための最良の形態】
【０００９】
（実施の形態１）
以下、本発明の実施の形態１について図１を用いて説明する。図１は、実施の形態１の受信装置のブロック図である。図１において、受信装置８は、例えば、携帯端末に搭載されたテレビチューナであり、アンテナ（図示せず）に夫々接続された第１受信部９と第２受信部１０と、第１受信部９から出力された信号と第２受信部１０から出力された信号を合成する受信信号合成部１１と、この受信信号合成部１１から出力された信号を誤り訂正する誤り訂正部１２とを備える。また、この受信装置８が搭載された携帯電話等の電子機器（図示せず）は、誤り訂正部１２から出力された信号を復号処理するデコード部（図示せず）と、このデコード部から出力された信号を表示する液晶等からなる表示部（図示せず）とを備える。
【００１０】
さらに、受信装置８は、誤り訂正部１２からのＢＥＲ（Ｂｉｔ Ｅｒｒｏｒ Ｒａｔｅ）に基づいて受信品質を判定する第１受信品質判定部１３と、受信信号合成部１１の前段に接続され、第１受信部９と第２受信部１０の少なくとも一方から出力された信号に同期信号が含まれるか否かを判定する第２受信品質判定部１４とを有する。この同期信号は、例えば、フレーム内に配置された同期ワードであるフレーム同期信号、伝送パラメータ情報であるＴＭＣＣ（Ｔｒａｎｓｍｉｓｓｉｏｎ  ａｎｄ  Ｍｕｌｔｉｐｌｅｘｉｎｇ  Ｃｏｎｓｉｇｕｒａｔｉｏｎ  Ｃｏｎｔｒｏｌ）の取得モードを示すＴＭＣＣ同期信号、又は、受信装置の周波数同期モードを示すＡＦＣ同期信号である。
【００１１】
さらにまた、受信装置８は、第１受信部９と第２受信部１０のうちいずれか一方を用いて信号を受信するシングル受信モードと、第１受信部９と第２受信部１０の両方を用いて信号を受信するダイバシティ受信モードとを切り替え制御する制御部１５を備える。この制御部１５は、受信装置８がダイバシティ受信モードである場合、第１受信品質判定部１３における判定結果が所定レベルＡより良好になったとき、即ち、誤り訂正部１２からのＢＥＲが規定レベルａ以下になったとき、受信装置８をシングル受信モードに切り替える。また、制御部１５は、受信装置８がシングル受信モードである場合、第１受信品質判定部１１における判定結果が所定レベルＢより劣悪になったとき、即ち、誤り訂正部１２からのＢＥＲが規定レベルｂより大きくなったとき、受信装置８をダイバシティ受信モードに切り替える。一般的に、上記所定レベルＡは所定レベルＢより良好なレベルに設定されている。
【００１２】
この制御部１５は、たとえ第１受信品質判定部１３における判定結果が所定レベルＢより劣悪であったとしても、第２受信品質判定部１４における判定の結果が所定レベル未満であった場合、つまり、受信信号に同期信号が含まれないと判定された場合は、受信装置８がシングル受信モードとなるように制御する構成である。一般に、同期信号は映像情報等のデータ信号よりもノイズ耐性が大きい変調方式で伝送されるため、ダイバシティ受信モードにおけるデータ信号の受信感度よりもシングル受信モードにおける同期感度の方が良い。従って、シングル受信モードで同期信号の有無を観測しておくことにより、再び放送信号が存在する場所に移った場合には、ダイバシティ受信モードとして受信を再開することが可能となる。
【００１３】
上記構成により、受信装置が放送信号の受信できない場所を通過する場合、第２受信品質判定部１４における判定結果が所定レベル未満、つまり受信信号に同期信号が含まれないと判断され、その結果、制御部１５は、受信装置８がより消費電力の小さいシングル受信モードになる様に制御する。即ち、放送信号の受信できない場所において、受信装置８の電力消費を低減することができる。
【００１４】
尚、第１受信品質判定部１３は、受信品質を受信信号の誤り率以外で判定しても良い。例えば、ＣＮ（Ｃａｒｒｉｅｒ／Ｎｏｉｓｅ）比による判定が挙げられる。
【００１５】
尚、第２受信品質判定部１４は、どこに接続されても構わない。また、第１受信品質判定部１３は、受信品質をＣＮ比で判定しても良いし、ＡＧＣ（Ａｕｔｏｍａｔｉｃ Ｇａｉｎ Ｃｏｎｔｒｏｌ）レベルで判定しても良い。また、受信信号の変調方式に依存して受信感度が変わるため、ＣＮ比やＡＧＣレベルで判定する場合には、受信信号の変調方式を判定し、この変調方式に応じて第２受信品質判定部の判定閾値を変更することにより、より正確な制御が可能となる。
【００１６】
また、制御部１５は、第２受信品質判定部１４における判定の結果が所定レベル未満であった場合は、制御部１５を除く第２受信品質判定部１４より後段部分、及び受信装置８の出力側に接続されたデコード部、又は表示部の電源をオフにしても良い。これにより、放送信号の受信できない場所において、受信装置８が搭載された電子機器の電力消費を大幅に低減することができる。
【００１７】
（実施の形態２）
以下、本発明の実施の形態２について図２を用いて説明する。図２は、実施の形態２の受信装置のブロック図である。また、特に説明しない限りにおいて、実施の形態２の構成は実施の形態１と同様である。
【００１８】
図２に示す様に、受信装置１６は、第１受信部９と第２受信部１０の代わりに、第１受信感度で信号を受信する第１受信モードと第１受信感度より高い第２受信感度で信号を受信する第２受信モードとを有する受信部１７を備える。例えば、第１受信モードは、受信部１７の内部に接続された増幅器（図示せず）の増幅度を通常時より抑えた省電力モードであり、第２受信モードは、受信部１７の内部に接続された増幅器の増幅度を省電力モード時より大きくした通常モードである。
【００１９】
また、受信装置１６は、実施の形態１と同様に、この受信部１７から出力された信号を誤り訂正する誤り訂正部１２と、この誤り訂正部１２からのＢＥＲに基づいて受信品質を判定する第１受信品質判定部１３と、受信部１７と第１受信品質判定部１３との間に接続され、受信部１７から出力された信号に同期信号が含まれるか否かを判定する第２受信品質判定部１４とを備える。
【００２０】
そして、制御部１８は、第１受信品質判定部１３における判定結果が所定レベルＡより良好になった場合、受信部１７を第２受信モードから第１受信モードに切り替え、第１受信品質判定部１３における判定結果が所定レベルＢより劣悪になった場合、受信部１７を第１受信モードから第２受信モードに切り替える。一般的に、上記所定レベルＡは所定レベルＢより良好なレベルに設定されている。
【００２１】
さらにまた、この制御部１８は、たとえ第１受信品質判定部１３における判定結果が所定レベルＢより劣悪であったとしても、第２受信品質判定部１４における判定の結果が所定レベル未満であった場合、つまり受信信号に同期信号が含まれないと判断された場合は、受信部１７を第１受信モードとなるように制御する構成である。
【００２２】
上記構成により、受信装置１６が放送信号の受信できない場所を通過する場合、第２受信品質判定部１４における判定結果が所定レベル未満、つまり受信信号に同期信号が含まれないと判断され、その結果、制御部１８は、受信装置がより消費電力の小さい第１受信モードになる様に制御する。即ち、放送信号の受信できない場所において、受信装置１６の電力消費を低減することができる。
【００２３】
（実施の形態３）
以下、本発明の実施の形態３について図３を用いて説明する。図３は、実施の形態３の受信装置のブロック図である。また、特に説明しない限りにおいて、実施の形態３の構成は実施の形態１と同様である。
【００２４】
受信装置１９は、制御部１５に接続された計時部２０を備える。制御部１５は、この計時部２０からの時間情報に基づいて、第１受信部９及び第２受信部１０をダイバシティ受信モードに設定してから所定時間経過した場合は、たとえ第１受信品質判定部１３における判定結果が所定レベルＢより劣悪であったとしても、第１受信部９又は第２受信部１０をシングル受信モードとなるように制御する構成である。この所定時間は、一定の時間であっても良いし、変化しても良い。
【００２５】
上記構成により、受信装置１９が、所定時間以上、放送信号の受信できない場所を通過する場合、制御部１５は、受信装置１９がより消費電力の小さいシングル受信モードになる様に制御する。即ち、放送信号の受信できない場所において、受信装置１９の電力消費を低減することができる。
【００２６】
また、受信環境がダイバシティで受信可能な程度に復帰した場合には、上述の制御により受信装置１９をシングル受信モードとしているため、受信環境の改善を検出することが困難となる。このような場合、制御部１５は、所定時間経過後に受信装置１９をシングル受信モードとしてから上記所定時間より長い任意の時間経過した場合にダイバシティ受信モードとしても良い。これにより、受信装置１９がシングル受信モードとなった後、ダイバシティ受信できる程度に受信環境が改善したことを容易に検出することができる。
【００２７】
また、第１受信部９及び第２受信部１０をダイバシティ受信モードに設定してから所定時間経過した場合は、受信装置１９を搭載した電子機器のデコード部、又は表示部の電源をオフ、又は低消費電力状態にする構成としても良い。これにより、放送信号の受信できない場所において、受信装置１９が搭載された電子機器の電力消費を大幅に低減することができる。
【００２８】
（実施の形態４）
以下、本発明の実施の形態４について図４を用いて説明する。図４は、実施の形態４の受信装置のブロック図である。また、特に説明しない限りにおいて、実施の形態４の構成は実施の形態１、３と同様である。
【００２９】
受信装置２１は、制御部１５に接続された計時部２０を備える。制御部１５は、この計時部２０からの時間情報に基づいて、受信部１７を第２受信モードに設定してから所定時間経過した場合は、たとえ第１受信品質判定部１３における判定結果が所定レベルＢより劣悪であったとしても、受信部１７を第１受信モードとなるように制御する構成である。
【００３０】
上記構成により、受信装置２１が、所定時間以上、放送信号の受信できない場所を通過する場合、制御部１５は、受信装置２１がより消費電力の小さい第１受信モードになる様に制御する。即ち、放送信号の受信できない場所において、受信装置２１の電力消費を低減することができる。
【００３１】
また、受信環境が第２受信モードで受信可能な程度に復帰した場合には、上述の制御により受信装置２１を第１受信モードとしているため、受信環境の改善を検出することが困難となる。このような場合、制御部１５は、所定時間経過後に受信装置２１を第１受信モードとしてから上記所定時間より長い任意の時間経過した場合に第２受信モードとしても良い。これにより、受信装置２１が第１受信モードとなった後、第２受信モードで受信できる程度に受信環境が改善したことを容易に検出することができる。
【００３２】
また、受信部１７を第２受信モードに設定してから所定時間経過した場合は、受信装置２１を搭載した電子機器のデコード部、又は表示部の電源をオフ、又は低消費電力状態にする構成としても良い。これにより、放送信号の受信できない場所において、受信装置２１が搭載された電子機器の電力消費を大幅に低減することができる。
【産業上の利用可能性】
【００３３】
本発明の受信装置は、放送信号の受信できない場所において、受信装置の電力消費を低減することができ、テレビ機能付携帯電話、車載用受信装置などの電子機器に特に有用である。
【図面の簡単な説明】
【００３４】
【図１】本発明の実施の形態１における受信装置のブロック図
【図２】本発明の実施の形態２における受信装置のブロック図
【図３】本発明の実施の形態３における受信装置のブロック図
【図４】本発明の実施の形態４における受信装置のブロック図
【図５】従来の受信装置のブロック図
【符号の説明】
【００３５】
８，１６，１９，２１  受信装置
９  第１受信部
１０  第２受信部
１１  受信信号合成部
１２  誤り訂正部
１３  第１受信品質判定部
１４  第２受信品質判定部
１５，１８  制御部
１７  受信部
２０  計時部
【図１】
2008172670.tif 000003
【図２】
2008172670.tif 000004
【図３】
2008172670.tif 000005
【図４】
2008172670.tif 000006
【図５】
2008172670.tif 000007
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
信号を受信する第１受信部及び第２受信部と、
前記第１受信部から出力された信号と前記第２受信部から出力された信号を合成する受信信号合成部と、
この受信信号合成部から出力された信号の受信品質を判定する第１受信品質判定部と、
前記受信信号合成部の前段に接続され、前記第１受信部と前記第２受信部の少なくとも一方から出力された信号における同期信号の有無若しくは信号のＣＮ比を判定する第２受信品質判定部と、
前記第１受信品質判定部における判定結果に基づいて、前記第１受信部と前記第２受信部のうちいずれか一方を用いて信号を受信するシングル受信モードと、前記第１受信部と前記第２受信部の両方を用いて信号を受信するダイバシティ受信モードとを切り替え制御する制御部とを備え、
この制御部は、前記第１受信品質判定部における判定結果に関わらず、前記第２受信品質判定部が同期信号を検出しない若しくは信号のＣＮ比が所定レベル未満であった場合は、前記第１受信部又は前記第２受信部を前記シングル受信モードとなるように制御する構成とした受信装置。
【請求項２】
第１受信感度で信号を受信する第１受信モードと前記第１受信感度より高い第２受信感度で信号を受信する第２受信モードとを有する受信部と、
この受信部から出力された信号の受信品質を判定する第１受信品質判定部と、
前記受信部と前記第１受信品質判定部との間に接続され、前記受信部から出力された信号における同期信号の有無若しくは信号のＣＮ比を判定する第２受信品質判定部と、
前記第１受信品質判定部における判定結果に基づいて、前記受信部を前記第１受信モードと前記第２受信モードとを切り替え制御する制御部とを備え、
この制御部は、前記第１受信品質判定部における判定結果に関わらず、前記第２受信品質判定部が同期信号を検出しない若しくは信号のＣＮ比が所定レベル未満であった場合は、前記受信部を前記第１受信モードとなるように制御する構成とした受信装置。
【請求項３】
前記第１受信品質判定部は、受信信号の誤り率に基づいて受信品質を判定する請求項１又は請求項２に記載の受信装置。
【請求項４】
前記同期信号は、フレーム同期信号、ＴＭＣＣ同期信号、ＡＦＣ同期信号のうち少なくとも１つである請求項１または請求項２に記載の受信装置。
【請求項５】
前記第２受信品質判定部における受信品質判定のための所定レベルを、受信信号の変調方式を検出し、この変調方式に応じた値に変更する請求項１に記載の受信装置。
【請求項６】
前記制御部は、前記第２受信品質判定部における判定の結果が所定レベル未満であった場合は、前記受信信号合成部、又は前記第１受信品質判定部を電源オフ、または低消費電力状態とする請求項１に記載の受信装置。
【請求項７】
信号を受信する第１受信部及び第２受信部と、
前記第１受信部から出力された信号と前記第２受信部から出力された信号を合成する受信信号合成部と、
この受信信号合成部から出力された信号の受信品質を判定する第１受信品質判定部と、
前記第１受信品質判定部における判定結果に基づいて、前記第１受信部と前記第２受信部のうちいずれか一方を用いて信号を受信するシングル受信モードと、前記第１受信部と前記第２受信部の両方を用いて信号を受信するダイバシティ受信モードとを切り替え制御する制御部とを備え、
この制御部は、前記第１受信品質判定部における判定結果に関わらず、前記第１受信部及び前記第２受信部を前記ダイバシティ受信モードに設定してから所定時間経過した場合は、前記第１受信部又は前記第２受信部を前記シングル受信モードとなるように制御する構成とした受信装置。
【請求項８】
前記制御部は、前記受信装置が前記シングル受信モードとなるように制御してから、前記所定時間よりも長い任意の時間経過後に前記受信装置が前記ダイバシティ受信モードとなるように制御する構成とした請求項７に記載の受信装置。
【請求項９】
第１受信感度で信号を受信する第１受信モードと前記第１受信感度より高い第２受信感度で信号を受信する第２受信モードとを有する受信部と、
この受信部から出力された信号の受信品質を判定する第１受信品質判定部と、
前記第１受信品質判定部における判定結果に基づいて、前記受信部を前記第１受信モードと前記第２受信モードとを切り替え制御する制御部とを備え、
この制御部は、前記第１受信品質判定部における判定結果に関わらず、前記受信部を前記第２受信モードに設定してから所定時間経過した場合は、前記受信部を前記第１受信モードとなるように制御する構成とした受信装置。
【請求項１０】
前記制御部は、前記受信装置が前記第１受信モードとなるように制御してから、前記所定時間よりも長い任意の時間経過後に前記受信装置が前記第２受信モードとなるように制御する構成とした請求項９に記載の受信装置。
【請求項１１】
請求項１から請求項６のいずれか１つに記載の受信装置の出力側に接続されたデコード部と、このデコード部の出力側に接続された表示部とを有する電子機器。
【請求項１２】
前記制御部は、前記第２受信品質判定部における判定の結果が所定レベル未満であった場合は、前記デコード部、又は前記表示部の電源をオフ、又は低消費電力状態にする構成とした請求項１１に記載の電子機器。
【請求項１３】
請求項７から請求項１０のいずれか１つに記載の受信装置の出力側に接続されたデコード部と、このデコード部の出力側に接続された表示部とを有する電子機器。
【請求項１４】
前記制御部は、前記第１受信部及び前記第２受信部を前記ダイバシティ受信モードに設定してから所定時間経過した場合は、前記デコード部、又は前記表示部の電源をオフ、又は低消費電力状態にする構成とした請求項１３に記載の電子機器。
【請求項１５】
前記制御部は、前記受信部を前記第２受信モードに設定してから所定時間経過した場合は、前記デコード部、又は前記表示部の電源をオフ、又は低消費電力状態にする構成とした請求項１４に記載の電子機器。
【手続補正書】
【提出日】平成19年12月21日(2007.12.21)
【手続補正１】
【補正対象書類名】特許請求の範囲
【補正対象項目名】全文
【補正方法】変更
【補正の内容】
【特許請求の範囲】
【請求項１】
信号を受信する第１受信部及び第２受信部と、
前記第１受信部から出力された信号と前記第２受信部から出力された信号を合成する受信信号合成部と、
この受信信号合成部から出力された信号の受信品質を判定する第１受信品質判定部と、
前記受信信号合成部の前段に接続され、前記第１受信部と前記第２受信部の少なくとも一方から出力された信号における同期信号の有無を判定する第２受信品質判定部と、
前記第１受信品質判定部における判定結果に基づいて、前記第１受信部と前記第２受信部のうちいずれか一方を用いて信号を受信するシングル受信モードと、前記第１受信部と前記第２受信部の両方を用いて信号を受信するダイバシティ受信モードとを切り替え制御する制御部とを備え、
この制御部は、前記第１受信品質判定部における判定結果に関わらず、前記第２受信品質判定部が同期信号を検出しない場合は、前記第１受信部又は前記第２受信部を前記シングル受信モードとなるように制御する構成とした受信装置。
【請求項２】
前記第１受信品質判定部は、受信信号の誤り率に基づいて受信品質を判定する請求項１に記載の受信装置。
【請求項３】
前記同期信号は、フレーム同期信号、ＴＭＣＣ同期信号、ＡＦＣ同期信号のうち少なくとも１つである請求項１に記載の受信装置。
【請求項４】
前記制御部は、前記第２受信品質判定部における判定の結果が同期信号検出せずであった場合は、前記受信信号合成部、又は前記第１受信品質判定部を電源オフ、または低消費電力状態とする請求項１に記載の受信装置。
【請求項５】
請求項１から請求項４のいずれか１つに記載の受信装置の出力側に接続されたデコード部と、このデコード部の出力側に接続された表示部とを有する電子機器。
【請求項６】
前記制御部は、前記第２受信品質判定部における判定の結果が同期信号検出せずであった場合は、前記デコード部、又は前記表示部の電源をオフ、又は低消費電力状態にする構成とした請求項５に記載の電子機器。
【手続補正２】
【補正対象書類名】明細書
【補正対象項目名】全文
【補正方法】変更
【補正の内容】
【発明の詳細な説明】
【技術分野】
【０００１】
本発明は、信号を受信する受信装置と、これを用いた電子機器に関するものである。
【背景技術】
【０００２】
以下、従来の受信装置について図５を用いて説明する。図５において、従来の受信装置１は、例えば、携帯端末に搭載されたテレビチューナであり、信号を受信する第１受信部２と第２受信部３と、第１受信部２から出力された信号と第２受信部３から出力された信号を合成する受信信号合成部４と、この受信信号合成部４から出力された信号を誤り訂正する誤り訂正部５とを備える。
【０００３】
さらに、従来の受信装置１は、誤り訂正部５からのＢＥＲ（Ｂｉｔ Ｅｒｒｏｒ Ｒａｔｅ）に基づいて受信品質を判定する受信品質判定部６と、この受信品質判定部６における判定結果が所定レベルより良好になった場合、第１受信部２と第２受信部３のうちいずれか一方を用いて信号を受信するシングル受信モードとなり、受信品質判定部６における判定結果が所定レベルより劣悪になった場合、第１受信部２と第２受信部３の両方を用いて信号を受信するダイバシティ受信モードとなるように制御する制御部７とを備える。
【０００４】
尚、この出願の発明に関連する先行技術文献情報としては、例えば、特許文献１が知られている。
【特許文献１】特開２００６−３１１２５８号公報
【発明の開示】
【発明が解決しようとする課題】
【０００５】
上記従来の受信装置１が放送信号の存在しない、あるいは放送信号がダイバシティ受信モードの感度以下の場所を通過する場合、受信品質判定部６における判定結果が所定レベルより劣悪になり、その結果、制御部７は、第１受信部２と第２受信部３が電力消費の大きいダイバシティ受信モードとなる様に制御する。即ち、放送信号を受信できない場所であるにも関わらず、受信装置１の電力消費が大きくなるという問題があった。
【０００６】
そこで本発明は、受信装置の電力消費を低減することを目的とする。
【課題を解決するための手段】
【０００７】
上記目的を達成する為に、本発明の受信装置は、受信信号合成部の前段に接続され、第１受信部と第２受信部の少なくとも一方から出力された信号における同期信号の有無を判定する第２受信品質判定部を更に有し、制御部は、たとえ第１受信品質判定部における判定結果が所定レベルより劣悪であったとしても、第２受信品質判定部における判定の結果が「同期信号検出せず」であった場合は、シングル受信モードとなるように制御する構成である。
【発明の効果】
【０００８】
上記構成により、受信装置が放送信号の受信できない場所を通過する場合、第２受信品質判定部における判定結果が「同期信号検出せず」になり、その結果、制御部は、受信装置がより消費電力の小さいシングル受信モードになる様に制御する。即ち、放送信号の受信できない場所において、受信装置の電力消費を低減することができる。
【発明を実施するための最良の形態】
【０００９】
（実施の形態１）
以下、本発明の実施の形態１について図１を用いて説明する。図１は、実施の形態１の受信装置のブロック図である。図１において、受信装置８は、例えば、携帯端末に搭載されたテレビチューナであり、アンテナ（図示せず）に夫々接続された第１受信部９と第２受信部１０と、第１受信部９から出力された信号と第２受信部１０から出力された信号を合成する受信信号合成部１１と、この受信信号合成部１１から出力された信号を誤り訂正する誤り訂正部１２とを備える。また、この受信装置８が搭載された携帯電話等の電子機器（図示せず）は、誤り訂正部１２から出力された信号を復号処理するデコード部（図示せず）と、このデコード部から出力された信号を表示する液晶等からなる表示部（図示せず）とを備える。
【００１０】
さらに、受信装置８は、誤り訂正部１２からのＢＥＲ（Ｂｉｔ Ｅｒｒｏｒ Ｒａｔｅ）に基づいて受信品質を判定する第１受信品質判定部１３と、受信信号合成部１１の前段に接続され、第１受信部９と第２受信部１０の少なくとも一方から出力された信号に同期信号が含まれるか否かを判定する第２受信品質判定部１４とを有する。この同期信号は、例えば、フレーム内に配置された同期ワードであるフレーム同期信号、伝送パラメータ情報であるＴＭＣＣ（Ｔｒａｎｓｍｉｓｓｉｏｎ  ａｎｄ  Ｍｕｌｔｉｐｌｅｘｉｎｇ  Ｃｏｎｓｉｇｕｒａｔｉｏｎ  Ｃｏｎｔｒｏｌ）の取得モードを示すＴＭＣＣ同期信号、又は、受信装置の周波数同期モードを示すＡＦＣ同期信号である。
【００１１】
さらにまた、受信装置８は、第１受信部９と第２受信部１０のうちいずれか一方を用いて信号を受信するシングル受信モードと、第１受信部９と第２受信部１０の両方を用いて信号を受信するダイバシティ受信モードとを切り替え制御する制御部１５を備える。この制御部１５は、受信装置８がダイバシティ受信モードである場合、第１受信品質判定部１３における判定結果が所定レベルＡより良好になったとき、即ち、誤り訂正部１２からのＢＥＲが規定レベルａ以下になったとき、受信装置８をシングル受信モードに切り替える。また、制御部１５は、受信装置８がシングル受信モードである場合、第１受信品質判定部１３における判定結果が所定レベルＢより劣悪になったとき、即ち、誤り訂正部１２からのＢＥＲが規定レベルｂより大きくなったとき、受信装置８をダイバシティ受信モードに切り替える。一般的に、上記所定レベルＡは所定レベルＢより良好なレベルに設定されている。
【００１２】
この制御部１５は、たとえ第１受信品質判定部１３における判定結果が所定レベルＢより劣悪であったとしても、第２受信品質判定部１４における判定の結果が所定レベル未満であった場合、つまり、受信信号に同期信号が含まれないと判定された場合は、受信装置８がシングル受信モードとなるように制御する構成である。一般に、同期信号は映像情報等のデータ信号よりもノイズ耐性が大きい変調方式で伝送されるため、ダイバシティ受信モードにおけるデータ信号の受信感度よりもシングル受信モードにおける同期感度の方が良い。従って、シングル受信モードで同期信号の有無を観測しておくことにより、再び放送信号が存在する場所に移った場合には、ダイバシティ受信モードとして受信を再開することが可能となる。
【００１３】
上記構成により、受信装置が放送信号の受信できない場所を通過する場合、第２受信品質判定部１４における判定結果が所定レベル未満、つまり受信信号に同期信号が含まれないと判断され、その結果、制御部１５は、受信装置８がより消費電力の小さいシングル受信モードになる様に制御する。即ち、放送信号の受信できない場所において、受信装置８の電力消費を低減することができる。
【００１４】
尚、第１受信品質判定部１３は、受信品質を受信信号の誤り率以外で判定しても良い。例えば、ＣＮ（Ｃａｒｒｉｅｒ／Ｎｏｉｓｅ）比による判定が挙げられる。
【００１５】
尚、第２受信品質判定部１４は、どこに接続されても構わない。また、第１受信品質判定部１３は、受信品質をＣＮ比で判定しても良いし、ＡＧＣ（Ａｕｔｏｍａｔｉｃ Ｇａ
ｉｎ Ｃｏｎｔｒｏｌ）レベルで判定しても良い。また、受信信号の変調方式に依存して
受信感度が変わるため、ＣＮ比やＡＧＣレベルで判定する場合には、受信信号の変調方式を判定し、この変調方式に応じて第２受信品質判定部の判定閾値を変更することにより、より正確な制御が可能となる。
【００１６】
また、制御部１５は、第２受信品質判定部１４における判定の結果が所定レベル未満であった場合は、制御部１５を除く第２受信品質判定部１４より後段部分、及び受信装置８の出力側に接続されたデコード部、又は表示部の電源をオフにしても良い。これにより、放送信号の受信できない場所において、受信装置８が搭載された電子機器の電力消費を大幅に低減することができる。
【００１７】
（実施の形態２）
以下、本発明の実施の形態２について図２を用いて説明する。図２は、実施の形態２の受信装置のブロック図である。また、特に説明しない限りにおいて、実施の形態２の構成は実施の形態１と同様である。
【００１８】
図２に示す様に、受信装置１６は、第１受信部９と第２受信部１０の代わりに、第１受信感度で信号を受信する第１受信モードと第１受信感度より高い第２受信感度で信号を受信する第２受信モードとを有する受信部１７を備える。例えば、第１受信モードは、受信部１７の内部に接続された増幅器（図示せず）の増幅度を通常時より抑えた省電力モードであり、第２受信モードは、受信部１７の内部に接続された増幅器の増幅度を省電力モード時より大きくした通常モードである。
【００１９】
また、受信装置１６は、実施の形態１と同様に、この受信部１７から出力された信号を誤り訂正する誤り訂正部１２と、この誤り訂正部１２からのＢＥＲに基づいて受信品質を判定する第１受信品質判定部１３と、受信部１７と第１受信品質判定部１３との間に接続され、受信部１７から出力された信号に同期信号が含まれるか否かを判定する第２受信品質判定部１４とを備える。
【００２０】
そして、制御部１８は、第１受信品質判定部１３における判定結果が所定レベルＡより良好になった場合、受信部１７を第２受信モードから第１受信モードに切り替え、第１受信品質判定部１３における判定結果が所定レベルＢより劣悪になった場合、受信部１７を第１受信モードから第２受信モードに切り替える。一般的に、上記所定レベルＡは所定レベルＢより良好なレベルに設定されている。
【００２１】
さらにまた、この制御部１８は、たとえ第１受信品質判定部１３における判定結果が所定レベルＢより劣悪であったとしても、第２受信品質判定部１４における判定の結果が所定レベル未満であった場合、つまり受信信号に同期信号が含まれないと判断された場合は、受信部１７を第１受信モードとなるように制御する構成である。
【００２２】
上記構成により、受信装置１６が放送信号の受信できない場所を通過する場合、第２受信品質判定部１４における判定結果が所定レベル未満、つまり受信信号に同期信号が含まれないと判断され、その結果、制御部１８は、受信装置がより消費電力の小さい第１受信モードになる様に制御する。即ち、放送信号の受信できない場所において、受信装置１６の電力消費を低減することができる。
【００２３】
（実施の形態３）
以下、本発明の実施の形態３について図３を用いて説明する。図３は、実施の形態３の
受信装置のブロック図である。また、特に説明しない限りにおいて、実施の形態３の構成は実施の形態１と同様である。
【００２４】
受信装置１９は、制御部１５に接続された計時部２０を備える。制御部１５は、この計時部２０からの時間情報に基づいて、第１受信部９及び第２受信部１０をダイバシティ受信モードに設定してから所定時間経過した場合は、たとえ第１受信品質判定部１３における判定結果が所定レベルＢより劣悪であったとしても、第１受信部９又は第２受信部１０をシングル受信モードとなるように制御する構成である。この所定時間は、一定の時間であっても良いし、変化しても良い。
【００２５】
上記構成により、受信装置１９が、所定時間以上、放送信号の受信できない場所を通過する場合、制御部１５は、受信装置１９がより消費電力の小さいシングル受信モードになる様に制御する。即ち、放送信号の受信できない場所において、受信装置１９の電力消費を低減することができる。
【００２６】
また、受信環境がダイバシティで受信可能な程度に復帰した場合には、上述の制御により受信装置１９をシングル受信モードとしているため、受信環境の改善を検出することが困難となる。このような場合、制御部１５は、所定時間経過後に受信装置１９をシングル受信モードとしてから上記所定時間より長い任意の時間経過した場合にダイバシティ受信モードとしても良い。これにより、受信装置１９がシングル受信モードとなった後、ダイバシティ受信できる程度に受信環境が改善したことを容易に検出することができる。
【００２７】
また、第１受信部９及び第２受信部１０をダイバシティ受信モードに設定してから所定時間経過した場合は、受信装置１９を搭載した電子機器のデコード部、又は表示部の電源をオフ、又は低消費電力状態にする構成としても良い。これにより、放送信号の受信できない場所において、受信装置１９が搭載された電子機器の電力消費を大幅に低減することができる。
【００２８】
（実施の形態４）
以下、本発明の実施の形態４について図４を用いて説明する。図４は、実施の形態４の受信装置のブロック図である。また、特に説明しない限りにおいて、実施の形態４の構成は実施の形態１、３と同様である。
【００２９】
受信装置２１は、制御部１５に接続された計時部２０を備える。制御部１５は、この計時部２０からの時間情報に基づいて、受信部１７を第２受信モードに設定してから所定時間経過した場合は、たとえ第１受信品質判定部１３における判定結果が所定レベルＢより劣悪であったとしても、受信部１７を第１受信モードとなるように制御する構成である。
【００３０】
上記構成により、受信装置２１が、所定時間以上、放送信号の受信できない場所を通過する場合、制御部１５は、受信装置２１がより消費電力の小さい第１受信モードになる様に制御する。即ち、放送信号の受信できない場所において、受信装置２１の電力消費を低減することができる。
【００３１】
また、受信環境が第２受信モードで受信可能な程度に復帰した場合には、上述の制御により受信装置２１を第１受信モードとしているため、受信環境の改善を検出することが困難となる。このような場合、制御部１５は、所定時間経過後に受信装置２１を第１受信モードとしてから上記所定時間より長い任意の時間経過した場合に第２受信モードとしても良い。これにより、受信装置２１が第１受信モードとなった後、第２受信モードで受信できる程度に受信環境が改善したことを容易に検出することができる。
【００３２】
また、受信部１７を第２受信モードに設定してから所定時間経過した場合は、受信装置２１を搭載した電子機器のデコード部、又は表示部の電源をオフ、又は低消費電力状態にする構成としても良い。これにより、放送信号の受信できない場所において、受信装置２１が搭載された電子機器の電力消費を大幅に低減することができる。
【産業上の利用可能性】
【００３３】
本発明の受信装置は、放送信号の受信できない場所において、受信装置の電力消費を低減することができ、テレビ機能付携帯電話、車載用受信装置などの電子機器に特に有用である。
【図面の簡単な説明】
【００３４】
【図１】本発明の実施の形態１における受信装置のブロック図
【図２】本発明の実施の形態２における受信装置のブロック図
【図３】本発明の実施の形態３における受信装置のブロック図
【図４】本発明の実施の形態４における受信装置のブロック図
【図５】従来の受信装置のブロック図
【符号の説明】
【００３５】
８，１６，１９，２１  受信装置
９  第１受信部
１０  第２受信部
１１  受信信号合成部
１２  誤り訂正部
１３  第１受信品質判定部
１４  第２受信品質判定部
１５，１８  制御部
１７  受信部
２０  計時部